【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
ｐｎ接合を有する半導体基板と、前記半導体基板の受光面側に形成された帯状の複数の受光面バス電極を有する受光面側電極と、前記半導体基板の裏面側に形成された複数の裏面接合電極を有する裏面側電極とを備える複数の太陽電池セルが並設され、隣り合う前記太陽電池セル間で前記受光面バス電極と前記裏面接合電極とが帯状のインタコネクタにより直列接続された太陽電池モジュールであって、
隣り合う前記太陽電池セルのうち第１太陽電池セルの各受光面バス電極に第１インタコネクタの一端側が前記受光面バス電極の長手方向に平行な第１方向に沿って個別に接合されるともに、前記第１太陽電池セルの各裏面接合電極に第２インタコネクタの他端側が前記第１方向に沿って個別に接合されており、
複数の前記第１インタコネクタは、少なくとも１つの前記第１インタコネクタの前記第１方向における前記受光面バス電極との接合領域が他の前記第１インタコネクタと異なっており、
複数の前記第２インタコネクタは、少なくとも１つの前記第２インタコネクタの前記第１方向における前記裏面接合電極との接合領域が他の前記第２インタコネクタと異なっており、
前記第１インタコネクタの延長上であって前記第１太陽電池セルの受光面側に前記第１インタコネクタが接続していない領域と、前記第２インタコネクタの延長上であって前記第１太陽電池セルの裏面側に前記第２インタコネクタが接続していない領域とが、前記第１太陽電池セルにおける前記第１方向の仮想中央線を挟んで反対の領域にあること、
を特徴とする太陽電池モジュール。
【請求項２】
複数の前記第１インタコネクタのうち前記第１方向に直交する第２方向に隣り合う前記第１インタコネクタは、前記第１方向における前記受光面バス電極との前記接合領域の位置が異なり、
複数の前記第２インタコネクタのうち前記第２方向に隣り合う前記第２インタコネクタは、前記第１方向における前記裏面接合電極との接合領域の位置が異なること、
を特徴とする請求項１に記載の太陽電池モジュール。
【請求項３】
複数の前記第１インタコネクタは、前記第１太陽電池セルの面内において、前記第１方向に直交する第２方向における中央線に対して対称となる位置に配置されており、
複数の前記第２インタコネクタは、前記第１太陽電池セルの面内において、前記第２方向における中央線に対して対称となる位置に配置されていること、
を特徴とする請求項１に記載の太陽電池モジュール。
【請求項４】
隣り合う前記太陽電池セルのうち第２太陽電池セルの前記第１インタコネクタおよび前記第２インタコネクタの配置が、前記第１太陽電池セルに対する前記第１インタコネクタおよび前記第２インタコネクタの配置と同じであること、
を特徴とする請求項１または２に記載の太陽電池モジュール。
【請求項５】
隣り合う前記太陽電池セルのうち第２太陽電池セルの前記第１インタコネクタの配置は、前記第１太陽電池セルに対する前記第１インタコネクタの配置が複数の前記第１インタコネクタの間で入れ替えられた配置であり、
隣り合う前記太陽電池セルのうち第２太陽電池セルの前記第２インタコネクタの配置は、前記第１太陽電池セルに対する前記第２インタコネクタの配置が複数の前記第２インタコネクタの間で入れ替えられた配置であること、
を特徴とする請求項１または２に記載の太陽電池モジュール。
【請求項６】
前記第１インタコネクタおよび前記第２インタコネクタは、前記第１太陽電池セルの前記受光面バス電極における一端から、前記第２太陽電池セルにおける前記裏面接合電極の他端までを接続するインタコネクタの長さよりも短いこと、
を特徴とする請求項４または５に記載の太陽電池モジュール。
【手続補正２】
【補正対象書類名】明細書
【補正対象項目名】００５４
【補正方法】変更
【補正の内容】
【００５４】
この場合は、インタコネクタ２０の使用長さは減少するが、太陽電池セル１０に加わる残留応力の、第１方向におけるバランスが悪化する。そして、４本のインタコネクタ２０の標準長さからの短縮分は、全て第１太陽電池セル１０１および第２太陽電池セル１０２の受光面側における左半分の領域に集中している。残留応力は、太陽電池セル１０の面内、すなわち第１太陽電池セル１０１および第２太陽電池セル１０２の面内において、インタコネクタ２０が接続されている領域に加わる。したがって、受光面グリッド電極にインタコネクタ２０が接続されていないために太陽電池セル１０に残留応力が加わらない領域は、太陽電池セル１０の受光面側における左半分の領域に集中している。このため、太陽電池セル１０の受光面側における右半分の領域に残留応力が集中し、太陽電池セル１０の面内において、第１方向における残留応力のバランスが悪化する。そして、太陽電池セル１０に加わる残留応力のバランスが悪化した場合には、残留応力に起因した太陽電池セル１０の割れまたは反り等の不具合の発生確率が上がる。
【手続補正３】
【補正対象書類名】明細書
【補正対象項目名】００５９
【補正方法】変更
【補正の内容】
【００５９】
図２１および図２２に示されるように、裏面接合電極１３ｂは、各第２インタコネクタ２０ｂごとに複数個のドット状のドット電極１３ｂｄとして形成されている。裏面接合電極１３ｂは、４本の第２インタコネクタ２０ｂに対応して、ドット電極１３ｂｄが第２方向に４行に、かつ第１方向に分散配置されて構成されている。受光面側から見た図２１において、紙面での上から１行目および３行目の裏面接合電極１３ｂは、７個のドット電極１３ｂｄが第１太陽電池セル１０１および第２太陽電池セル１０２の左辺側から等間隔で第１方向に分散配置されて構成されている。紙面での上から２行目および４行目の裏面接合電極１３ｂは、８個のドット電極１３ｂｄが第１太陽電池セル１０１および第２太陽電池セル１０２の左辺側から等間隔で第１方向に分散配置されて構成されている。１行目から４行目の裏面接合電極１３ｂにおけるドット電極１３ｂｄの第１方向における間隔Ｓは同じである。したがって、１行目の７個のドット電極１３ｂｄと、２行目の７個のドット電極１３ｂｄとは、第１方向において同じ位置に配置されている。また、２行目の８個のドット電極１３ｂｄと、４行目の８個のドット電極１３ｂｄとは、第１方向において同じ位置に配置されている。
【手続補正４】
【補正対象書類名】明細書
【補正対象項目名】００８０
【補正方法】変更
【補正の内容】
【００８０】
このような配置でインタコネクタ２０を設けることにより、インタコネクタ２０を短縮した短縮長さＬ１分に対応する、第１方向においてインタコネクタ２０が接続されておらず残留応力が加わらない非接合領域が第１方向における片側の領域に集中することを抑制できる。すなわち、第１太陽電池セル１０１における受光面側においては、非接合領域が仮想中央線Ｃ１よりも左側の領域に２箇所が存在し、第１太陽電池セル１０１における裏面側においては、非接合領域が仮想中央線Ｃ１よりも右側の領域に２箇所が存在する。すなわち、第１太陽電池セル１０１の面内では、第１方向において、残留応力が加わらない非接合領域のバランスが取れている。換言すると、第１太陽電池セル１０１の面内では、第１方向において、残留応力が加わる接合領域のバランスが取れている。したがって、図１４に示す例に比べて、太陽電池セル１０の面内における第１方向での残留応力のバランスの悪化に起因した太陽電池セル１０の割れまたは反り等の不具合の発生を抑制することができ、製品歩留まりを向上させることができる。
【手続補正５】
【補正対象書類名】明細書
【補正対象項目名】００８２
【補正方法】変更
【補正の内容】
【００８２】
また、第２の例では、第１の例に対して、隣り合う第１太陽電池セル１０１および第２太陽電池セル１０２で、第１受光面バス電極部１１１と第３受光面バス電極部１１３とにおいて裏面接合電極１３ｂに接合する第２インタコネクタ２０ｂの位置と、第２受光面バス電極部１１２と第４受光面バス電極部１１４とにおいて裏面接合電極１３ｂに接合する第２インタコネクタ２０ｂの位置とが、入れ替えられている。